(57)【特許請求の範囲】
【請求項１】
１つ以上のモバイル通信デバイスと、モバイル通信ネットワークと、を備える、モバイル通信システムであって、当該モバイル通信ネットワークは、当該モバイル通信デバイスへ及び／又は当該モバイル通信デバイスからデータパケットを通信するように構成され、当該モバイル通信ネットワークは、
無線アクセスインタフェースを介して前記モバイル通信デバイスへ前記データパケットを通信し又は前記モバイル通信デバイスから前記データパケットを受信するための１つ以上の基地局を含む無線ネットワーク部分と、
前記無線ネットワーク部分の前記基地局へ前記データパケットを通信し又は前記基地局から前記データパケットを受信するための１つ以上のインフラストラクチャ機器を含むコアネットワーク部分と、
を含み、
前記コアネットワーク部分及び前記無線ネットワーク部分は、
相対的に高い帯域幅で前記モバイル通信デバイスへ前記データパケットを通信し又は前記モバイル通信デバイスから前記データパケットを受信するように適合されるブロードバンドネットワークを提供し、及び
相対的に低い帯域幅で前記モバイル通信デバイスへ前記データパケットを通信し又は前記モバイル通信デバイスから前記データパケットを受信するように適合される専用メッセージングネットワークを同時に提供する、
ように構成され、
前記モバイル通信デバイス、前記基地局又は前記インフラストラクチャ機器のうちの少なくとも１つは、所定の基準に従って、前記ブロードバンドネットワーク又は前記専用メッセージングネットワークのいずれを介して前記モバイル通信デバイスから又は前記モバイル通信デバイスへ前記データパケットの各々を通信すべきかを判定するように構成され、
前記モバイル通信デバイス、前記基地局又は前記インフラストラクチャ機器のうちの少なくとも１つは、
通信のための前記データパケットをパースして、前記所定の基準に従って、前記データパケットがシグナリングデータについてのものであるか又はユーザデータについてのものであるかを判定し、
前記データパケットがシグナリングデータについてのものである場合、前記専用メッセージングネットワークを用いて当該データパケットを通信し、前記データパケットがユーザデータについてのものである場合、前記ブロードバンドネットワークを介して前記データパケットを通信する、
ように構成される、
モバイル通信システム。
【請求項２】
前記所定の基準は、前記データパケットのプロトコルタイプ、アプリケーションタイプ、ドメイン名、ソケット又はポート番号のうちの１つ以上を含む、請求項１に記載の通信システム。
【請求項３】
前記モバイル通信デバイスは、プロセッサを備え、当該プロセッサは、当該プロセッサ上で実行されるアプリケーションプログラム間のインタフェースを提供するアプリケーションプログラマ用のインタフェースを提供するように構成され、識別機能は、当該アプリケーションプログラマ用のインタフェースから前記アプリケーションプログラムの各々の前記アプリケーションタイプの標識を受信し、及び、当該アプリケーションタイプに基づいて、前記データパケットが前記専用メッセージングネットワークを介した通信についてのものであるのか又は前記ブロードバンドネットワークを介した通信についてのものであるのかを判定するように構成される、請求項２に記載の通信システム。
【請求項４】
前記モバイル通信デバイス、前記基地局又は前記インフラストラクチャ機器のうちの少なくとも１つは、識別機能及びデータストアを含み、当該識別機能は、前記ドメイン名がシグナリングデータに関連付けられているのか又はユーザデータに関連付けられているのかの標識と共に当該データストアに予め記憶される１つ以上の所定のドメイン名と前記データパケットのドメイン名とを比較することによって、前記データパケットが前記専用メッセージングネットワークを介した通信についてのものであるのか又は前記ブロードバンドネットワークを介した通信についてのものであるのかを判定するように構成される、請求項３に記載の通信システム。
【請求項５】
前記モバイル通信デバイス、前記基地局又は前記インフラストラクチャ機器のうちの少なくとも１つは、識別機能及びデータストアを含み、当該識別機能は、前記ドメイン名がシグナリングデータに関連付けられているのか又はユーザデータに関連付けられているのかの標識と共に当該データストアに予め記憶される１つ以上の所定のソケット又はポート番号と前記データパケットのソケット又はポート番号とを比較することによって、前記データパケットが前記専用メッセージングネットワークを介した通信についてのものであるのか又は前記ブロードバンドネットワークを介した通信についてのものであるのかを判定するように構成される、請求項３に記載の通信システム。
【請求項６】
前記基地局又は前記インフラストラクチャ機器のうちの１つは、
シグナリングタイプのデータの需要量をモニタリングし、及び、
シグナリングタイプのデータの前記需要量が所定の量を超える結果、前記専用メッセージングネットワークを確立する、
ように構成される、請求項１〜５のいずれか１項に記載の通信システム。
【請求項７】
前記基地局又は前記インフラストラクチャ機器のうちの１つは、
シグナリングデータについての前記データパケットを通信するアプリケーションプログラムの数又はシグナリングタイプのアプリケーションについてのデータパケットを通信しているモバイル通信デバイスの数のうちの少なくとも１つを計数し、及びシグナリングアプリケーションプログラムの前記数又はモバイル通信デバイスの前記数が対応する所定の閾値と比較された場合における比較の結果、前記専用メッセージングネットワークを開始する、
ように構成される、請求項６に記載の通信システム。
【請求項８】
前記専用メッセージングネットワークは、前記無線ネットワーク部分の帯域幅の低減された帯域幅のバージョンから形成され、前記ブロードバンドネットワークは、前記無線ネットワーク部分のより大きな部分から形成される、請求項１〜７のいずれか１項に記載の通信システム。
【請求項９】
モバイル通信ネットワークへ及び／又はモバイル通信ネットワークからデータパケットを通信するためのモバイル通信デバイスであって、当該モバイル通信ネットワークは、無線アクセスインタフェースを介して前記モバイル通信デバイスへ前記データパケットを通信し又は前記モバイル通信デバイスから前記データパケットを受信するための１つ以上の基地局を備える無線ネットワーク部分と、当該無線ネットワーク部分の前記基地局へ又は当該無線ネットワーク部分の前記基地局から前記データパケットを受信するための１つ以上のインフラストラクチャコンポーネントを備えるコアネットワーク部分と、を含み、
前記モバイル通信デバイスは、
ブロードバンドネットワーク又は専用メッセージングネットワークのいずれを用いて前記データパケットの各々を通信すべきかを判定する、
ように構成され、
前記ブロードバンドネットワークは、前記モバイル通信ネットワークによって提供され、及び相対的に高い帯域幅で前記データパケットを通信するように適合され、前記専用メッセージングネットワークは、前記モバイル通信ネットワークによって前記ブロードバンドネットワークと同時に提供され、及び相対的に低い帯域幅で前記データパケットを通信するように適合され、
前記モバイル通信デバイスは、前記モバイル通信ネットワークへの通信についての前記データパケットをパースして、当該データパケットがシグナリングデータを含むのか又はユーザデータを含むのかを所定の基準に従って判定し、当該データパケットがシグナリングデータについてのものである場合、当該データパケットを前記専用メッセージングネットワークを用いて通信し、当該データパケットがユーザデータについてのものである場合、当該データパケットを前記ブロードバンドネットワークを介して通信するように動作可能である、
モバイル通信デバイス。
【請求項１０】
前記所定の基準は、前記データパケットのプロトコルタイプ、アプリケーションタイプ、ドメイン名、ソケット又はポート番号のうちの１つ以上を含む、請求項９に記載のモバイル通信デバイス。
【請求項１１】
前記モバイル通信デバイスは、プロセッサを備え、当該プロセッサは、当該プロセッサ上で実行されるアプリケーションプログラム間のインタフェースを提供するアプリケーションプログラマ用のインタフェースを提供するように構成され、識別機能は、当該アプリケーションプログラマ用のインタフェースから前記アプリケーションプログラムの各々の前記アプリケーションタイプの標識を受信し、及び、当該アプリケーションタイプに基づいて、前記データパケットが前記専用メッセージングネットワークを介した通信についてのものであるのか又は前記ブロードバンドネットワークを介した通信についてのものであるのかを判定するように構成される、請求項１０に記載のモバイル通信デバイス。
【請求項１２】
前記モバイル通信デバイスは、前記ドメイン名がシグナリングデータに関連付けられているのか又はユーザデータに関連付けられているのかの標識と共にデータストアに予め記憶される１つ以上の所定のドメイン名と前記データパケットのドメイン名とを比較することによって、前記データパケットが前記専用メッセージングネットワークを介した通信についてのものであるのか又は前記ブロードバンドネットワークを介した通信についてのものであるのかを判定するように構成される識別機能を含む、請求項１０に記載のモバイル通信デバイス。
【請求項１３】
前記モバイル通信デバイスは、前記ドメイン名がシグナリングデータに関連付けられているのか又はユーザデータに関連付けられているのかの標識と共にデータストアに予め記憶される１つ以上の所定のソケット又はポート番号と前記データパケットのソケット又はポート番号とを比較することによって、前記データパケットが前記専用メッセージングネットワークを介した通信についてのものであるのか又は前記ブロードバンドネットワークを介した通信についてのものであるのかを判定するように構成される識別機能を含む、請求項１０に記載のモバイル通信デバイス。
【請求項１４】
前記モバイル通信デバイスは、
前記データパケットのうちの１つ以上がシグナリングデータについてのものであるという標識を前記モバイル通信ネットワークへ通信する、
ように構成される、請求項９〜１３のいずれか１項に記載のモバイル通信デバイス。
【請求項１５】
前記モバイル通信デバイスは、
シグナリングデータについての前記データパケットを通信するためのアプリケーションプログラムの数を計数し、及びシグナリングデータについてのデータパケットを通信するアプリケーションプログラムの前記数に基づいて前記標識を通信する、
ように構成される、請求項１４に記載のモバイル通信デバイス。
【請求項１６】
前記専用メッセージングネットワークは、前記無線ネットワーク部分の帯域幅の低減された帯域幅のバージョンから形成され、前記ブロードバンドネットワークは、前記無線ネットワーク部分のより大きな部分から形成される、請求項９〜１５のいずれか１項に記載のモバイル通信デバイス。
【請求項１７】
モバイル通信ネットワークを形成するための基地局であって、当該モバイル通信ネットワークは、無線アクセスインタフェースを介してモバイル通信デバイスへデータパケットを通信し又はモバイル通信デバイスから前記データパケットを受信するための当該基地局を備える無線ネットワーク部分と、前記基地局へ前記データパケットを通信し又は前記基地局から前記データパケットを受信するための１つ以上のインフラストラクチャコンポーネントを備えるコアネットワーク部分と、を含み、
前記基地局は、
所定の基準に従って、ブロードバンドネットワーク又は専用メッセージングネットワークのいずれを用いて前記データパケットの各々を前記モバイル通信ネットワークへ通信すべきかを判定する、
ように構成され、
前記ブロードバンドネットワークは、前記モバイル通信ネットワークによって提供され、及び相対的に高い帯域幅で前記データパケットを通信するように構成され、前記専用メッセージングネットワークは、前記モバイル通信ネットワークによって前記ブロードバンドネットワークと同時に提供され、及び相対的に低い帯域幅で前記データパケットを通信するように適合され、
前記基地局は、前記モバイル通信ネットワークへの通信についての前記データパケットをパースして、当該データパケットがシグナリングデータを含むのか又はユーザデータを含むのかを前記所定の基準に従って判定し、当該データパケットがシグナリングデータについてのものである場合、当該データパケットを前記専用メッセージングネットワークを用いて通信し、当該データパケットがユーザデータについてのものである場合、当該データパケットを前記ブロードバンドネットワークを介して通信するように動作可能である、
基地局。
【請求項１８】
前記所定の基準は、前記データパケットのプロトコルタイプ、アプリケーションタイプ、ドメイン名、ソケット又はポート番号のうちの１つ以上を含む、請求項１７に記載の基地局。
【請求項１９】
前記基地局は、前記ドメイン名がシグナリングデータに関連付けられているのか又はユーザデータに関連付けられているのかの標識と共にデータストアに予め記憶される１つ以上の所定のドメイン名と前記データパケットのドメイン名とを比較することによって、前記データパケットが前記専用メッセージングネットワークを介した通信についてのものであるのか又は前記ブロードバンドネットワークを介した通信についてのものであるのかを判定するように構成される、請求項１８に記載の基地局。
【請求項２０】
前記基地局は、前記ドメイン名がシグナリングデータに関連付けられているのか又はユーザデータに関連付けられているのかの標識と共にデータストアに予め記憶される１つ以上の所定のソケット又はポート番号と前記データパケットのソケット又はポート番号とを比較することによって、前記データパケットが前記専用メッセージングネットワークを介した通信についてのものであるのか又は前記ブロードバンドネットワークを介した通信についてのものであるのかを判定するように構成される識別機能を含む、請求項１８に記載の基地局。
【請求項２１】
前記基地局は、
シグナリングタイプのデータの需要量をモニタリングし、及び、
シグナリングタイプのデータの前記需要量が所定の量を超える結果、前記専用メッセージングネットワークを確立する、
ように構成される、請求項１７〜２０のいずれか１項に記載の基地局。
【請求項２２】
前記基地局のうちの１つは、
シグナリングデータについての前記データパケットを通信するアプリケーションプログラムの数又はシグナリングタイプのアプリケーションについてのデータパケットを通信しているモバイル通信デバイスの数のうちの少なくとも１つを計数し、及びシグナリングアプリケーションプログラムの前記数又はモバイル通信デバイスの前記数が対応する所定の閾値と比較された場合における比較の結果、前記専用メッセージングネットワークを開始する、
ように構成される、請求項２１に記載の基地局。
【請求項２３】
前記専用メッセージングネットワークは、前記無線ネットワーク部分の帯域幅の低減された帯域幅のバージョンから形成され、前記ブロードバンドネットワークは、前記無線ネットワーク部分のより大きな部分から形成される、請求項１７から２２のいずれか１項に記載の基地局。
【請求項２４】
モバイル通信ネットワークを形成するためのインフラストラクチャ機器であって、当該モバイル通信ネットワークは、無線アクセスインタフェースを介してモバイル通信デバイスへデータパケットを通信し又はモバイル通信デバイスから前記データパケットを受信するための１つ以上の基地局を備える無線ネットワーク部分と、前記１つ以上の基地局へ前記データパケットを通信し又は前記１つ以上の基地局から前記データパケットを受信するための前記インフラストラクチャ機器を備えるコアネットワーク部分と、を含み、前記インフラストラクチャ機器は、
ブロードバンドネットワーク又は専用メッセージングネットワークのいずれを用いて前記データパケットの各々を前記１つ以上の基地局を介して前記モバイル通信デバイスへ通信すべきかを所定の基準に従って判定する、
ように構成され、
前記ブロードバンドネットワークは、前記モバイル通信ネットワークによって提供され、及び相対的に高い帯域幅で前記データパケットを通信するように適合され、前記専用メッセージングネットワークは、前記モバイル通信ネットワークによって前記ブロードバンドネットワークと同時に提供され、及び相対的に低い帯域幅で前記データパケットを通信するように適合され、
前記インフラストラクチャ機器は、前記モバイル通信デバイスへの通信についての前記データパケットをパースして、当該データパケットがシグナリングデータについてのものであるのか又はユーザデータについてのものであるかを前記所定の基準に従って判定し、当該データパケットがシグナリングデータについてのものである場合、当該データパケットを前記専用メッセージングネットワークを用いて通信し、当該データパケットがユーザデータについてのものである場合、当該データパケットを前記ブロードバンドネットワークを介して通信するように動作可能である、
インフラストラクチャ機器。
【請求項２５】
前記所定の基準は、前記データパケットのプロトコルタイプ、アプリケーションタイプ、ドメイン名、ソケット又はポート番号のうちの１つ以上を含む、請求項２４に記載のインフラストラクチャ機器。
【請求項２６】
前記インフラストラクチャ機器は、前記ドメイン名がシグナリングデータに関連付けられているのか又はユーザデータに関連付けられているのかの標識と共にデータストアに予め記憶される１つ以上の所定のドメイン名と前記データパケットのドメイン名とを比較することによって、前記データパケットが前記専用メッセージングネットワークを介した通信についてのものであるのか又は前記ブロードバンドネットワークを介した通信についてのものであるのかを判定するように構成される識別機能を含む、請求項２５に記載のインフラストラクチャ機器。
【請求項２７】
前記インフラストラクチャ機器は、前記ドメイン名がシグナリングデータに関連付けられているのか又はユーザデータに関連付けられているのかの標識と共にデータストアに予め記憶される１つ以上の所定のソケット又はポート番号と前記データパケットのソケット又はポート番号とを比較することによって、前記データパケットが前記専用メッセージングネットワークを介した通信についてのものであるのか又は前記ブロードバンドネットワークを介した通信についてのものであるのかを判定するように構成される識別機能を含む、請求項２５に記載のインフラストラクチャ機器。
【請求項２８】
前記インフラストラクチャ機器は、
シグナリングタイプのデータの需要量をモニタリングし、及び、
シグナリングタイプのデータの前記需要量が所定の量を超える結果、前記専用メッセージングネットワークを確立する、
ように構成される、請求項２４〜２７のいずれか１項に記載のインフラストラクチャ機器。
【請求項２９】
前記インフラストラクチャ機器は、
シグナリングデータについての前記データパケットを通信するアプリケーションプログラムの数又はシグナリングタイプのアプリケーションについてのデータパケットを通信しているモバイル通信デバイスの数のうちの少なくとも１つを計数し、及びシグナリングアプリケーションプログラムの前記数又はモバイル通信デバイスの前記数が対応する所定の閾値と比較された場合における比較の結果、前記専用メッセージングネットワークを開始する、
ように構成される、請求項２８に記載のインフラストラクチャ機器。
【請求項３０】
前記専用メッセージングネットワークは、前記無線ネットワーク部分の帯域幅の低減された帯域幅のバージョンから形成され、前記ブロードバンドネットワークは、前記無線ネットワーク部分のより大きな部分から形成される、請求項２４〜２９のいずれか１項に記載のインフラストラクチャ機器。
【請求項３１】
モバイル通信ネットワークからモバイル通信デバイスへデータパケットを通信し及び／又はモバイル通信デバイスからデータパケットを受信する方法であって、当該モバイル通信ネットワークは、無線アクセスインタフェースを介して前記データパケットを当該モバイル通信デバイスへ通信し又は当該モバイル通信デバイスから前記データパケットを受信するための１つ以上の基地局を備える無線ネットワーク部分と、当該無線ネットワーク部分の当該基地局へ前記データパケットを通信し又は当該基地局から前記データパケットを受信する１つ以上のインフラストラクチャコンポーネントを備えるコアネットワーク部分と、を含み、前記方法は、
相対的に高い帯域幅で前記モバイル通信デバイスへ前記データパケットを通信し又は前記モバイル通信デバイスから前記データパケットを受信するように適合されるブロードバンドネットワークを提供することと、
相対的に低い帯域幅で前記モバイル通信デバイスへ前記データパケットを通信し又は前記モバイル通信デバイスから前記データパケットを受信するように適合される専用メッセージングネットワークを同時に提供することと、
前記モバイル通信デバイスから前記データパケットを通信し又は前記モバイル通信デバイスへ前記データパケットを通信するために前記ブロードバンドネットワーク又は前記専用メッセージングネットワークのいずれを用いて前記データパケットの各々を通信すべきかを所定の基準に従って判定することと、を含み、
前記ブロードバンドネットワーク又は前記専用メッセージングネットワークのいずれを用いて前記データパケットを通信すべきかを前記判定することは、
モバイル端末への通信についての前記データパケット又は前記モバイル端末から受信される前記データパケットをパースして、当該データパケットがシグナリングデータについてのものであるのか又はユーザデータについてのものであるのかを前記所定の基準に従って判定し、当該データパケットがシグナリングデータについてのものである場合、当該データパケットを前記専用メッセージングネットワークを用いて通信し、当該データパケットがユーザデータについてのものである場合、当該データパケットを前記ブロードバンドネットワークを介して通信すること、
を含む、方法。
【請求項３２】
前記所定の基準は、前記データパケットのプロトコルタイプ、アプリケーションタイプ、ドメイン名、ソケット又はポート番号のうちの１つ以上を含む、請求項３１に記載の方法。
【請求項３３】
前記ブロードバンドネットワーク又は前記専用メッセージングネットワークのいずれを用いて前記データパケットを通信すべきかを前記判定することは、
プロセッサ上で実行されるアプリケーションプログラムについてのインタフェースを提供するアプリケーションプログラマ用のインタフェースを提供するように構成される当該プロセッサを前記モバイル通信デバイスに提供することと、
識別機能を提供することと、
前記アプリケーションプログラマ用のインタフェースから前記アプリケーションプログラムの各々の前記アプリケーションタイプの標識を前記識別機能において受信することと、
前記データパケットが前記専用メッセージングネットワークを介した通信についてのものであるのか又は前記ブロードバンドネットワークを介した通信についてのものであるのかを前記アプリケーションタイプに基づいて前記識別機能を用いて判定することと、
を含む、請求項３２に記載の方法。
【請求項３４】
前記ブロードバンドネットワーク又は前記専用メッセージングネットワークのいずれを用いて前記データパケットを通信すべきかを前記判定することは、
前記ドメイン名がシグナリングデータに関連付けられているのか又はユーザデータに関連付けられているのかの標識と共にデータストアに予め記憶される１つ以上の所定のドメイン名と前記データパケットのドメイン名とを比較すること、
を含む、請求項３２に記載の方法。
【請求項３５】
前記ブロードバンドネットワーク又は前記専用メッセージングネットワークのいずれを用いて前記データパケットを通信すべきかを前記判定することは、
前記ドメイン名がシグナリングデータに関連付けられているのか又はユーザデータに関連付けられているのかの標識と共にデータストアに予め記憶される１つ以上の所定のソケット又はポート番号と前記データパケットのソケット又はポート番号とを比較すること、
を含む、請求項３２に記載の方法。
【請求項３６】
前記ブロードバンドネットワーク又は前記専用メッセージングネットワークのいずれを用いて前記データパケットを通信すべきかを前記判定することは、
シグナリングタイプのデータの需要量をモニタリングすることと、
シグナリングタイプのデータの前記需要量が所定の量を超える結果、前記専用メッセージングネットワークを確立することと、
を含む、請求項３１〜３５のいずれか１項に記載の方法。
【請求項３７】
前記ブロードバンドネットワーク又は前記専用メッセージングネットワークのいずれを用いて前記データパケットを通信すべきかを前記判定することは、
シグナリングデータについての前記データパケットを通信するためのアプリケーションの数又はシグナリングタイプのアプリケーションについてのデータパケットを通信しているモバイル通信デバイスの数のうちの少なくとも１つを計数することと、
シグナリングアプリケーションの前記数又はモバイル端末の前記数が対応する閾値と比較された場合における比較の結果、前記専用メッセージングネットワークを開始することと、
を含む、請求項３６に記載の方法。
【請求項３８】
前記専用メッセージングネットワークは、前記無線ネットワーク部分の帯域幅の低減された帯域幅バージョンから形成され、前記ブロードバンドネットワークは、前記無線ネットワーク部分のより大きな部分から形成される、請求項３１〜３６のいずれか１項に記載の方法。
【請求項３９】
コンピュータにロードされる場合、請求項３１〜３８のいずれか１項に記載の方法を実行するコンピュータ実行可能な命令を提供する、コンピュータプログラム。
【請求項４０】
モバイル通信ネットワークからモバイル通信デバイスへデータパケットを通信し及び／又はモバイル通信デバイスからデータパケットを受信するための装置であって、当該モバイル通信ネットワークは、無線アクセスインタフェースを介して前記モバイル通信デバイスへ前記データパケットを通信し又は前記モバイル通信デバイスから前記データパケットを受信するための１つ以上の基地局を備える無線ネットワーク部分と、当該無線ネットワーク部分の当該基地局へ前記データパケットを通信し又は当該無線ネットワーク部分の前記基地局から前記データパケットを受信するための１つ以上のインフラストラクチャ機器を備えるコアネットワーク部分と、を含み、前記装置は、
相対的に高い帯域幅で前記モバイル通信デバイスへ前記データパケットを通信し又は前記モバイル通信デバイスから前記データパケットを受信するように適合されるブロードバンドネットワークを提供するための手段と、
相対的に低い帯域幅で前記モバイル通信デバイスへ前記データパケットを通信し又は前記モバイル通信デバイスから前記データパケットを受信するように適合される専用メッセージングネットワークを同時に提供するための手段と、
前記モバイル通信デバイスから又は前記モバイル通信デバイスへ前記データパケットを通信するために前記ブロードバンドネットワーク又は前記専用メッセージングネットワークのいずれを用いて前記データパケットの各々を通信すべきかを所定の基準に従って判定するための手段と、
通信についての前記データパケットをパースして、当該データパケットがシグナリングデータを含むのか又はユーザデータを含むのかを前記所定の基準に従って判定する手段と、を備え、
当該データパケットがシグナリングデータについてのものである場合、当該データパケットを前記専用メッセージングネットワークを用いて通信し、当該データパケットがユーザデータについてのものである場合、当該データパケットを前記ブロードバンドネットワークを介して通信するように動作可能である、
装置。
【発明の詳細な説明】
【技術分野】
【０００１】
本発明は、モバイル通信デバイスへ及び／又はモバイル通信デバイスからデータパケットを通信するためのモバイル通信システム、インフラストラクチャ機器、基地局、モバイル通信デバイス、及びデータパケットを通信するための方法に関する。
【背景技術】
【０００２】
モバイル通信システムは、過去約１０年にわたってＧＳＭシステム（Global  Systems  for  Mobiles）から３Ｇシステムへ発展してきており、今や回路交換通信だけでなくパケットデータ通信も含む。第３世代パートナーシッププロジェクト（３ＧＰＰ）は、今や、ロングタームエボルーション（ＬＴＥ）と呼ばれる第４世代のモバイル通信システムの開発を開始している。ＬＴＥにおいては、より早期のモバイル通信ネットワークアーキテクチャのコンポーネントの結合と、ダウンリンク上では直交周波数分割多重（ＯＦＤＭ：Orthogonal  Frequency  Division  Multiplexing）及びアップリンク上ではシングルキャリア周波数分割多元接続に基づく無線アクセスインタフェースとに基づいて、コアネットワーク部分がより簡略化されたアーキテクチャを形成するように発展させられている。コアネットワークコンポーネントは、強化されたパケット通信システムに従って、データパケットを通信するように構成される。
【０００３】
３ＧＰＰにより定義されるＵＭＴＳ及びロングタームエボリューション（ＬＴＥ）アーキテクチャに基づくシステムなどの第３世代及び第４世代のモバイル通信システムは、以前の世代のモバイル通信システムによって提供される単純な音声及びメッセージングサービスよりも洗練されたサービスをサポートすることが可能である。
【０００４】
例えば、ＬＴＥシステムによって提供される改善された無線インタフェース及び強化されたデータレートによって、ユーザは、以前は固定回線のデータ接続を介してのみ利用可能であったモバイルビデオストリーミング及びモバイルビデオ会議といった高データレートのアプリケーションを楽しむことが可能である。それ故に、第３世代及び第４世代のモバイル通信ネットワークは、典型的に、進化したデータ変調技法を無線インタフェース上で採用し、これは、より複雑な且つ高価な無線送受信器の実装を必要とし得る。ただし、全ての通信が例えばＬＴＥシステムについての全帯域幅のケイパビリティを必要とする性質を有するわけではない。従って、幾つかのタイプのデータを、モバイル通信システムの全帯域幅のケイパビリティを用いずに、より効率的に通信する技法を導入することがより適当となり得る。
【発明の概要】
【課題を解決するための手段】
【０００５】
本発明によれば、１つ以上のモバイル通信デバイスと、モバイル通信デバイスへ及び／又はモバイル通信デバイスからデータパケットを通信するためのモバイル通信ネットワークと、を備えるモバイル通信システムが提供される。モバイル通信ネットワークは、無線ネットワーク部分と、コアネットワーク部分と、を含む。無線ネットワーク部分は、無線アクセスインタフェースを介してモバイル通信デバイスへデータパケットを通信し又はモバイル通信デバイスからデータパケットを受信するための１つ以上の基地局を備え、コアネットワーク部分は、当該無線ネットワーク部分の当該基地局へデータパケットを通信し又は当該基地局からデータパケットを受信するための１つ以上のインフラストラクチャコンポーネントを備える。コアネットワーク部分及び無線ネットワーク部分は、相対的に高い帯域幅でモバイル通信デバイスへデータパケットを通信し又はモバイル通信デバイスからデータパケットを受信するように適合されるブロードバンドパケットネットワークを提供し、及び相対的に低い帯域幅でモバイル通信デバイスへデータパケットを通信し又はモバイル通信デバイスからデータパケットを受信するように適合される専用メッセージングネットワークを同時に提供するように構成され、モバイル通信デバイス、基地局又はインフラストラクチャ機器のうちの１つ以上は、データパケットの各々をブロードバンドパケットネットワークを介して通信すべきか又は専用メッセージングネットワークを介して通信すべきかを所定の基準に従って判定するように構成される。それ故に、データパケットは、ブロードバンドパケットネットワーク又は専用メッセージングネットワークのいずれかを用いてモバイル通信デバイスへ通信され又はモバイル通信デバイスから受信される。一例において、ブロードバンドパケットネットワークは、モバイル通信ネットワークの全帯域幅のケイパビリティから提供され、専用メッセージングネットワークは、当該モバイル通信ネットワークの低減された帯域幅によって提供され得る。
【０００６】
一例において、モバイル通信デバイス及び基地局のうちの一方又は双方は、通信についてのデータパケットをパースして（parse）、当該データパケットがシグナリングデータを含むのか又はユーザデータを含むのかを所定の基準に従って判定し、当該データパケットがシグナリングデータを含む場合、専用メッセージングネットワークを用いて当該データパケットを通信し、当該データパケットがユーザデータを含む場合、ブロードバンドネットワークを介して当該データパケットを通信するように構成される。所定の基準は、データパケットのプロトコルタイプ、アプリケーションタイプ、ドメイン名、ソケット又はポート番号のうちの１つ以上を含み得る。
【０００７】
専用メッセージングネットワークは、より大きなデータ通信よりも短いデータグラムをより効率的に通信するように構成される。専用メッセージングネットワークは、ブロードバンドパケットネットワークよりも、短いデータグラムを通信するようにより良好に構成される。それ故に、専用メッセージングネットワーク又はブロードバンドネットワークのいずれかをデータパケットの内容に応じて選択することによって、利用可能な通信リソース、インフラストラクチャ機器及びモバイル通信デバイスのより効率的な使用が提供される。例えば、データパケットがシグナリングデータを通信している場合、このデータの量及び発生頻度はかなり低いため、シグナリングデータは、専用メッセージングネットワークを介してより効率的に通信され得る。
【０００８】
スマートフォン及びポータブルコンピュータといったモバイル通信デバイスは、データ要求メッセージ、キープアライブメッセージ、及びポーリングタイプメッセージといった多くのアプリケーションレベルのシグナリングメッセージをモバイル通信ネットワーク上で送信する。これらのシグナリングタイプのメッセージは、スマートフォン又はポータブルコンピュータ上で実行されている、ある機械的な（machine-like）アプリケーションに関する。本願発明者らは、これらのメッセージ及びデータグラムが専用メッセージングネットワーク（ＤＭＮ：dedicated  messaging  network）によってより効率的に通信され得ることを認識した。ＤＭＮは、相対的に小さいメッセージを従来のブロードバンド無線通信ネットワークと比較してより効率的に通信するように適合されるものとして特徴付けられ得る。例えば、ＤＭＮは、例えば、従来の物理ダウンリンク制御チャネル（ＰＤＣＣＨ：Physical  Downlink  Control  Channels）のサイズを場合により低減することによって、サブフレームごとにより多くのＰＤＣＣＨをサポートし得る。別の例において、ＤＭＮは、より大きい量のランダムアクセスチャネル（ＲＡＣＨ：Random  Access  Channel）リソースをサポートするように適合され得る。これは、ＤＭＮに恒久的に接続されていないが、コネクションレスな手法で通信するモバイルデバイスにとって有益であり得る。一例において、ＤＭＮは、ホストキャリアの帯域幅内又はブロードバンドパケットネットワーク内に存在するバーチャルキャリアであってもよい。従って、ブロードバンドパケットネットワークは、ＬＴＥネットワークであり得るモバイル通信ネットワークから、例えば、当該ＬＴＥネットワークの実質的に全帯域幅のケイパビリティを用いて形成され得る。一方、ＤＭＮは、利用可能な総帯域幅よりも小さい、ＬＴＥネットワークの低減された帯域幅から形成され得る。
【０００９】
それ故に、ブロードバンドパケットネットワークは、より大きい量のデータを高速で通信することに適している。ブロードバンドパケットネットワークは、例えば、ＵＭＴＳ又はＬＴＥネットワークによってサポートされるような高速パケットアクセス（High  Speed  Packet  Access）通信ネットワークとし得る。ＤＭＮと対照的に、ブロードバンドパケットネットワークは、ユーザデータリソースの量と比較して制限された量の利用可能なシグナリングリソースを有し得る。そのため、ブロードバンドパケットネットワークは、スマートフォンアプリケーションからのアプリケーションシグナリングメッセージによって過負荷となり得る。また、結果として、ブロードバンドパケットネットワークの制御情報を搬送するために割り当てられているネットワークリソースの全てが、ユーザデータ部分が完全に割り当てられる前に、用いられる可能性がある。
【００１０】
一例において、モバイル通信デバイスにおける別個のアプリケーションは、アプリケーションプログラムのタイプに応じてＤＭＮ又はブロードバンドパケットネットワークのいずれかに接続される。
【００１１】
一つの例示的な実施形態において、基地局又はインフラストラクチャ機器のうちの１つは、シグナリングタイプのデータの需要量をモニタリングし、及びシグナリングタイプのデータの需要が所定の量を超える結果、専用メッセージングネットワークを確立するように構成される。そのため、データパケットは、シグナリングタイプのパケットの需要が所定のレベルに到達するまでのみ、ブロードバンドパケットネットワークを介して通信され得る。別の例において、モバイル通信デバイスは、これらが１つ以上のアプリケーションプログラムからシグナリングタイプのメッセージを通信しているという標識を提供し、モバイル通信ネットワークは、当該標識の数が所定の閾値に到達したら、専用メッセージングネットワークを確立し得る。この理由は、ネットワーク内にシグナリングタイプのアプリケーションが殆ど存在しない場合、これらのモバイル通信デバイスを特にサポートするためにＤＭＮをセットアップすることは非効率的となり得るためである。この非効率性が生じ得る理由は、ＤＭＮについて確保される固定されたリソースがシグナリングタイプのメッセージによって充分に利用されないことがあり得るためである。より大きい量のシグナリングタイプのトラフィックが存在する場合、シグナリングタイプのトラフィックをサポートするように構成されるＤＭＮを有することの利点は、ＤＭＮとブロードバンドパケットネットワークとの間でリソースを分割することの非柔軟性に関連付けられる不利益に勝り得る。この場合においては、これらのアプリケーションをＤＭＮ上でサポートすることがより好適であり得る。
【００１２】
「シグナリング（signalling）」という用語は、アプリケーションレベルシグナリング又はネットワークシグナリングを指し得る。アプリケーションレベルシグナリングの例は、電子メールアプリケーションからのポーリングメッセージ、インスタントメッセージングアプリケーションからのプレゼンスメッセージ、ゲームトラフィックに関連するショートアップデート等を含む。ネットワークシグナリングの例は、無線リソース接続（ＲＲＣ：radio  resource  connection）シグナリング及び非アクセスストラタム（ＮＡＳ：Non-Access  Stratum）シグナリングを含む。ショートメッセージサービス（ＳＭＳ）送信などの幾つかのトラフィックは、ユーザデータに対して高い割合のネットワークシグナリングを有し、そのため、シグナリングタイプのトラフィックと見なされ得る。
【００１３】
本発明のさらなる態様及び特徴は、添付の特許請求の範囲において定義され、及びインフラストラクチャエレメント、基地局、モバイル通信デバイス及び方法を含む。
【図面の簡単な説明】
【００１４】
ここで、本発明の例示的な実施形態は、同様の部分が同じ指定参照番号を有する添付の図面を参照しつつ説明されるであろう。図面において：
【００１５】
【図１】ＬＴＥ標準に従った、モバイル通信ネットワークの概略ブロック図である。
【図２】専用メッセージングネットワークと共に同時に存在するブロードバンドパケットネットワークの動作を図示する、図１において示されるモバイル無線ネットワークの一部の概略ブロック図である。
【図３】ブロードバンドパケットネットワークと共に同時に動作する専用メッセージングネットワークを示す概略ブロック図である。
【図４】様々なタイプのデータパケットを専用メッセージングネットワーク及びブロードバンドパケットネットワークを介して通信するスマートフォンなどのモバイル通信デバイスの動作の例である。
【図５】識別機能を含むように本技法に従って構成されるモバイル通信デバイスの概略ブロック図である。
【図６】図５において示されるモバイル通信デバイスの概略ブロック図において示される識別機能のより詳細な例示的なブロック図である。
【図７】本技法に従ってモバイル通信ネットワーク内で動作する基地局の概略ブロック図である。
【図８】専用メッセージングネットワークを確立する例示的な処理を図示する部分シグナリング図である。
【図９】アプリケーションプログラムがブロードバンドパケットネットワークを介して通信されている間に専用メッセージングネットワークを確立するための処理を図示する部分概略シグナリング図である。
【図１０】専用メッセージングネットワークが確立されるべきか否かを判定するために、ネットワークエレメント内の識別機能によって実行される処理を図示するフロー図である。
【図１１ａ】ＬＴＥ標準に従って動作する無線アクセスインタフェース内の専用メッセージングネットワークをサポートするバーチャルキャリアの動作を図示する概略グラフ図である。
【図１１ｂ】スタンドアロンキャリアの対応概略グラフ図である。
【図１２】バーチャルキャリア構成を用いて実装される専用メッセージングネットワークについてのチャネル構造の、対応するより詳細な例である。
【発明を実施するための形態】
【００１６】
ここで、本発明の実施形態は、３ＧＰＰロングタームエボリューション（ＬＴＥ）標準に従って動作するモバイル通信ネットワークを用いる実装を参照しつつ、説明されるであろう。図１は、ＬＴＥネットワークの例示的なアーキテクチャを提供する。図１において示されるように及び従来のモバイル通信ネットワークと同様に、（ＵＥ又は端末とも呼ばれる）モバイル通信デバイス１は、当該通信デバイス１と無線又は無線アクセスインタフェースを介してデータを送信し及び受信するための基地局２へ及び基地局２からデータを通信するように構成され、当該基地局２は、ＬＴＥにおいて、エンハンストノードＢ（ｅＮｏｄｅＢ）と呼ばれる。
【００１７】
基地局又はｅＮｏｄｅＢ２は、サービングゲートウェイＳ−ＧＷ６に接続され、当該サービングゲートウェイＳ−ＧＷ６は、通信デバイス１がモバイル通信ネットワーク全体にわたりローミングするにつれてモバイル通信サービスの当該通信デバイス１へのルーティング及び管理を実行するように構成される。移動性管理及び接続性を維持するために、移動性管理エンティティ（ＭＭＥ：mobility  management  entity）８は、ホーム加入者サーバ（ＨＳＳ：home  subscriber  server）１０に記憶される加入者情報を用いて、通信デバイス１とのエンハンストパケットサービス（ＥＰＳ）接続を管理する。他のコアネットワークコンポーネントは、ポリシー課金及びリソース機能（ＰＣＲＦ：policy  charging  and  resource  function）１２と、インターネットネットワーク１６及び最終的には外部サーバ２０へ接続されるＰＤＮ（packet  data  network）ゲートウェイ（Ｐ−ＧＷ）１４と、を含む。ＬＴＥアーキテクチャについてのさらなる情報は、Holma  H.及びToskala  Ａ．著の“LTE  for  UMTS  OFDM  and  SC-FDMA  based  radio  access”と題される書物の２５頁以下から収集され得る。
【００１８】
以下の説明において、ＬＴＥ／ＳＡＥの専門用語及び名称が用いられる。ただし、本技法の実施形態は、ＧＳＭ／ＧＰＲＳコアネットワークを有するＧＥＲＡＮ及びＵＭＴＳといった他のモバイル通信システムに適用されることができる。
【００１９】
図２は、図１において図示されるものと同じモバイル通信ネットワークからの専用メッセージングネットワーク及びブロードバンドネットワークの形成を図示するために、図１において示されるモバイル通信ネットワークのうちの選択されたコンポーネントを示す図を提供する。図２において、通信チェーンは、図１において示されるように、モバイル通信デバイス１からｅＮｏｄｅＢ２、サービングゲートウェイ６、及びＰＤＮゲートウェイ１４にわたり示される。図２において、サービングゲートウェイ及びＰＤＮゲートウェイ６、１４は、モバイル無線ネットワークのコアネットワーク部分２０を形成する一方、ｅＮｏｄｅＢ２は、無線ネットワーク部分２２を形成する。
【００２０】
本技法によれば、図１及び図２において示されるモバイル通信ネットワークは、ブロードバンドパケットネットワークと、当該ブロードバンドパケットネットワークに沿って及び同時に存在する専用メッセージングネットワークと、を提供するように構成される。従って、本技法によれば、ブロードバンドパケットネットワークは、無線ネットワーク部分及びコアネットワーク部分のプロトコルによって提供される無線アクセスインタフェースの帯域幅全体を利用し得るが、専用メッセージングネットワーク２６が並行して確立され得る。専用メッセージングネットワーク２５は、無線ネットワーク部分の帯域幅の一部のみと、コアネットワーク部分２０による幾つかの低減された機能性又は適合された処理と、を用い得る。これは、専用メッセージングネットワークがシグナリングタイプのアプリケーションの典型である少量のデータの通信について最適化されているからである。上述されたように、本技法は、例えばアプリケーションプログラムによって生成されるシグナリングタイプのデータを通信するために専用メッセージングネットワークを利用する。それ故に、専用メッセージングネットワークは、シグナリングデータに関連付けられるものなどのショートメッセージの通信について最適化されている。
【００２１】
一例において、専用メッセージングネットワーク（ＤＭＮ）は、モバイル通信ネットワークの無線ネットワーク部分によって提供される全帯域幅内に存在するキャリアであるバーチャルキャリアから生成され得る。従って、一例において、専用メッセージングネットワークは、本出願人による同時係属中の英国特許出願第１１０１９７０．０号、第１１０１９８１．７号、第１１０１９６６．８号、第１１０１９８３．３号、第１１０１８５３．８号、第１１０１９８２．５号、第１１０１９８０．９号、及び第１１０１９７２．６号において開示される技法を用いて形成されてもよく、これらの内容は、参照によって本明細書に包含される。専用メッセージングネットワークのこの例の簡単な概要は、以下に提供される。ただし、ＤＭＮは、小さなメッセージ又はデータグラムを通信するように適合されているものとして特徴付けられることができ、当該ＤＭＮは、ブロードバンドパケットネットワークと比較してハードウェア及び通信リソースをより効率的に用いることができ、及びより多くの量の制御シグナリングをサポートすることができる。例えば、ＤＭＮは、（おそらくＰＤＣＣＨのサイズにおける低減によって）サブフレームごとにより多くのＰＤＣＣＨをサポートし得る。ＤＭＮは、より多くの量のＲＡＣＨリソースをサポートするように構成され得る（これは、ＤＭＮに恒久的に接続されていないが、コネクションレスな手法で通信するマシンについて有益となり得る）。ブロードバンドパケットネットワークは、大きなメッセージの高速での送信について最適化されているものとして特徴付けられる。ブロードバンドパケットネットワークは、ＨＳＰＡネットワーク又は（好適には）ＬＴＥネットワークとし得る。これらのネットワークは、ユーザデータリソースの量と比較して、制限された量の利用可能なシグナリングリソースを有し得る（そのため、これらのネットワークは、スマートフォンアプリケーションからのアプリケーションシグナリングメッセージによって過負荷となり得る：ユーザデータ部分が完全に割り当てられる前に、ブロードバンドパケットネットワークの制御部分の実質的に全てが用いられる可能性がある）。
【００２２】
それ故に、本技法によれば、専用メッセージングネットワーク２６は、図３において示されるように、データ要求メッセージ、キープアライブメッセージ、及びポーリングタイプメッセージを通信するように構成され得る。対照的に、ブロードバンドパケットネットワーク２４は、完全な電子メール、Ｊｐｅｇ、ビデオクリップ等といったより大きなメッセージを通信するために用いられ得る。異なるタイプのパケットデータの生成は、異なるアプリケーションによって為され得るため、一例において、専用メッセージングネットワーク及びブロードバンドパケットネットワークは、異なるアプリケーションにサービスを提供し得る。ここで、アプリケーションのうちの１つ（例えば、在庫更新アプリケーション）は、専用メッセージングネットワークを通じてルーティングされる小さなシグナリングタイプのメッセージを用いて通信し、別のアプリケーション（例えば、ビデオダウンロードアプリケーション）は、ブロードバンドネットワークを通じてより大きなパケットサイズを用いて通信する。
【００２３】
上述されたように、例えば、スマートフォン及びポータブルコンピュータは、データ要求メッセージ、キープアライブメッセージ、及びポーリングタイプメッセージを含む多くのアプリケーションレベルのシグナリングメッセージをモバイル通信ネットワーク上で送信する。これらのシグナリングタイプのメッセージは、モバイル通信デバイス上で実行されている、ある機械的なアプリケーションに関連する。機械的なアプリケーションの例は、以下の通りである：
・電子メールクライアントは、電子メールサーバに定期的にポーリングして、更新をチェックし、電子メールサーバは、電子メールクライアントにページングして、当該サーバにおける保留中の電子メールを当該電子メールクライアントに通知し得る。これらのシグナリングページングメッセージ及びポーリングメッセージは、典型的に短い（数百ビットであり得る）。
・ソーシャルネットワーキングアプリケーションは、インターネットサーバにポーリングし、及びインターネットサーバによって「ページングされ（paged）」て、ダウンロードされ得る、ユーザのソーシャルネットワークへの更新が存在することを通知され得る。
・クラウドベースの生産性アプリケーションは、モバイル通信デバイス上の文書に更新が存在したか示す更新を、クラウド内のサーバへ送信し得る。更新が存在する場合、当該更新は、モバイル通信デバイスへ又はモバイル通信デバイスから送信され得る。
【００２４】
１つの例示的なアプリケーションにおいて、スマートフォンは、ブロードバンド通信、例えば、ビデオダウンロード等を必要とし得るユーザデータと、その要件において自発的及び散発的であって小さな帯域幅を必要とし得るシグナリングタイプデータと、を含む様々なタイプのデータの通信を必要とし得る様々なアプリケーションプログラムを実行していることがあり得る。従って、図４において示されるように、本技法によれば、スマートフォンであり得るモバイル通信デバイス１００は、無線ネットワーク部分２２の専用メッセージングネットワーク２６を介してシグナリングタイプデータを、及び無線ネットワーク部分２２のブロードバンドパケットネットワーク２４を介してユーザデータを、通信し得る。データパケットは、異なるアプリケーションサーバ４０、４２へ通信される。ただし、他の例において、これらは、実際には同じサーバであってもよく、当該パケットは、異なるタイプであるが、同じ宛先へ向けられる。専用メッセージングネットワーク２６又はブロードバンドパケットネットワーク２４を介してデータパケットを通信するための識別を達成するために、スマートフォン１００には、図５及び図６において示される識別機能が提供される。
【００２５】
図５において、図４において示されるモバイル通信デバイス１００は、より詳細に示される。従来のモバイル通信デバイスと同様、モバイル通信デバイス１００は、ネットワークのモバイル通信部分の無線ネットワーク部分によって提供される無線アクセスインタフェースを介して通信するための送受信器ユニット１０２を備える。アンテナ１０１は、無線アクセスインタフェースを介して信号の送信及び受信の双方を行うために用いられる。通信プロセッサ１０４は、送受信器ユニット１０２を介したデータの通信を制御する。通信プロセッサ１０４は、必要とされる通信のタイプに応じて、異なる無線アクセスベアラを確立する。本技法に係る異なる無線アクセスベアラは、それぞれ専用メッセージングネットワーク及びブロードバンドパケットネットワークを介する。専用メッセージングネットワーク及びブロードバンドパケットネットワークを介する通信のためのパケットは、適切な場合にはデータストア１０８との組み合わせにおいて、識別機能１０６によってそれぞれ識別される。
【００２６】
プロセッサ１１０は、モバイル通信デバイス上で動作して、ユーザに機能を提供するアプリケーションプログラム１１２を実行する。アプリケーションプログラム１１２は、様々な種類であり及び様々な要件を有し得る。パケットが様々なネットワークを介して通信されるのは、様々な要件に応じてである。従って、プロセッサが、例えばインターネットプロトコルに従って通信されるべきデータを生成するアプリケーションプログラムを実行している間に、識別機能は、データパケットを分析し、及び当該データパケットが専用メッセージングネットワーク又はブロードバンドパケットネットワークのどちらを介すればより良好に通信されるかを判定する。従って、プロセッサ１１０と識別機能１０６との間のインタフェース１１４は、通信プロセッサから識別機能１０６へ通信されるべきプロトコルデータパケットを提供する。
【００２７】
幾つかの例において、プロセッサ１１０上で動作するアプリケーションプログラミングインタフェース（ＡＰＩ）は、以下に説明されるような、データパケットがシグナリングのためのものであることを示す付加的な情報を提供し得る。識別機能は、データパケットと、当該データパケットがシグナリングのためのものであることの標識を識別機能に提供する任意の付加的な情報と、を受信すると、インタフェース１１６のうちの１つを介してデータパケットを通信プロセッサ１０４へ向け得る。それによって、通信プロセッサは、データパケットがブロードバンドパケットネットワークの代わりに専用メッセージングネットワークを介して通信されるべきであることの標識を提供される。反対に、識別機能は、データパケットがブロードバンドパケットネットワークを介した通信についてのものであるという標識もＡＰＩによって提供され得る。従って、通信プロセッサは、データパケットがブロードバンドパケットネットワークを介して通信されるべきであることの指示を識別機能１０６からインタフェース１１６上で受信する。
【００２８】
専用メッセージングネットワークを介して通信されるべきデータパケットと、ブロードバンドパケットネットワークによって通信されるべきデータパケットと、を識別するための種々の他の技法が提案される。これらの技法は、以下の段落において説明されるであろう。識別機能１０６のより詳細な例は、図６において示される。図６において、識別機能１０６は、分析プロセッサ１２０を含むように示され、当該分析プロセッサ１２０は、プロセッサ１１０からインタフェース１１４からデータパケットを受信する。分析プロセッサは、データパケットを当該パケットから抽出される情報に従ってパースし、及びこの情報とデータストア１０８に記憶される所定の情報とを比較する。例えば、以下に説明されるように、上記情報は、ドメイン名、アプリケーションタイプ、ポートソケット番号、又はプロトコルタイプを含み得る。上記情報に基づいて、分析プロセッサは、データパケットをスイッチ１２２へルーティングし、当該スイッチ１２２は、専用メッセージングネットワークを介した通信についての第１の出力１２４又はブロードバンドパケットネットワークを介した通信についての第２の出力１２６を介してデータパケットをルーティングする。
【００２９】
別の例において、分析プロセッサは、宛先アドレス又はソースアドレスのいずれかによって識別される特定のアプリケーションからデータパケットを受信し、及び当該パケットの通信要件の性質を分析する。例えば、所与のソースからの所与の宛先へのパケットは、所定の期間内及び通信についてのパケットの決定された個数内で分析される。特定の宛先から特定のソースへ通信されるべき小さい数のデータパケットが必要とされる場合、分析プロセッサは、データパケットが専用メッセージングネットワークを介して通信されるべきであると判定を下し得る。従って、分析プロセッサは、データパケットを第１の出力１２４へルーティングする。対照的に、所定の期間内のデータパケットの数が比較的大きい場合、ブロードバンドパケットネットワークを介したルーティングがより適切であるため、分析プロセッサは、スイッチ１２２を用いて、データパケットを第２の出力１２６を介してルーティングする。
【００３０】
識別のための技法
上述されたように、識別機能は、アプリケーションからのデータパケットがシグナリングタイプであるか又はブロードバンドタイプであるかを識別するように構成される。以下のリストは、この識別が為され得る幾つかの例示的な方法を説明する：
・プロトコルタイプ：例えば、アプリケーションからのパケットが特定のプロトコルのＲＦＣに従って伝送される場合、当該パケットは、シグナリングタイプであると分類されることができる。例示的なプロトコルは、ＳＩＭＰＬＥプロトコル（ＳＩＰ＝Session  Initiation  Protocol、ＳＩＭＰＬＥ＝ＳＩＰ  for  Instant  Messaging  and  Presence  Leveraging  Extensions）及びOpen  Mobile  Alliance's  Instant  Messaging  and  Presence  Serviceである。通信システムは、特定のプロトコルタイプの全てのメッセージをシグナリングタイプにマッピングし得る。
・アプリケーション：通信システムは、アプリケーションがシステム上で通信することを可能にするＡＰＩ（アプリケーションプログラミングインタフェース）を有する。ＡＰＩは、アプリケーションがシグナリングタイプのメッセージ又はブロードバンドタイプのメッセージのいずれを生成するのかを当該アプリケーションが定義することを可能にするパラメータを有し得る。
・ドメイン名：幾つかのドメイン名へ送信されるメッセージは、シグナリングタイプのメッセージを含む可能性が高い。例えば、twitter.comへ送信され及びtwitter.comから送信されるメッセージは、１４０文字以下の長さの小さなシグナリングタイプのメッセージである可能性が高い一方、bbc.co.ukから送信されるデータは、ウェブページ、ブロードバンドタイプの音声又はビデオコンテンツから成る可能性が高い。
・生成されるメッセージのソケット又はポート番号。多くのポート番号は、特定のアプリケーションに関連する。例えば、インターネットポート番号５１９０は、ＡＯＬインスタントメッセンジャーに対応し、ポート番号２１は、ＦＴＰに対応する。この例において、ポート番号５１９０上の任意のメッセージは、シグナリングタイプとして分類され、ポート番号２１を用いる任意のメッセージは、ブロードバンドタイプとして分類され得る：トラフィックタイプの知識に基づいて、ＵＥは、シグナリングタイプのアプリケーション又はブロードバンドタイプのアプリケーションのどちらがアクティブであるのかを判定し得る。ポート番号５１９０をオープンすることを要求する任意のアプリケーションは、シグナリングタイプのアプリケーションとして（及び、ポート番号２１をオープンするアプリケーションについてはその逆として）分類され得る。アプリケーションについての例示的なポート番号は、以下のＵＲＬにおいて列挙される：
−http://kb.netgear.com/app/answers/detail/a_id/1166/~/port-numbers-for-port-forwarding
・上述されるように、デバイスからのトラフィックの特性は測定されることができ、それ故に、当該トラフィックは、シグナリングタイプ又はブロードバンドタイプのいずれかであるものとして分類されることができる。測定され得る、トラフィックの適切な特性は、以下の通りである：
−データパケットのサイズ
−データパケットの発生の頻度
−パケットの到達時間間の（統計的な）分散
・小さく、低頻度で、及び疑似ランダムなタイミングで発生するように見えるパケットは、シグナリングタイプのアプリケーションに属すると見なされ得る。
【００３１】
識別機能のロケーション
アプリケーションがシグナリングタイプであるのか又はブロードバンドタイプであるのかに関する決定は、モバイル通信デバイスにおいて有利に為される。モバイル通信デバイスは、アプリケーション及び通信システムの双方へのアクセスを有する内蔵型の（self-contained）デバイスである。対照的に、ネットワーク（例、Ｅ−ＵＴＲＡＮ）は、通信システムを形成し、この通信システムは、アプリケーションへより緩やかに接続される。ここで、当該アプリケーションは、例えば、アプリケーションサーバ上に位置し得る。決定点がネットワーク内に作られた場合、（例えば、インターネット内にある）アプリケーションサーバと通信システムとの間でシグナリングが行われる必要があり得る：このシグナリングは、実装するには煩雑となり得る。
【００３２】
シグナリングタイプの通信かブロードバンドタイプの通信かの決定がモバイル通信デバイスにおいて為される場合、モバイル通信デバイスは、「シグナリングタイプ」／「ブロードバンドタイプ」の標識をネットワークへ明示的に送信するか、又は適当なＱｏＳパラメータを有する無線ベアラを単純に選択し／要求し得る。いずれの場合においても、通信システムは、モバイル通信デバイスがシグナリングタイプのトラフィックを生成するのか又はブロードバンドタイプのトラフィックを生成するのかを判定し、及び（具体的な「シグナリングタイプ」の標識／「ブロードバンドタイプ」の標識の受信又は無線ベアラのタイプのいずれかに基づいて）必要に応じてＤＭＮリソースをセットアップし／リリースすることができる。
【００３３】
さらなる例において、識別機能は、例えば、ｅＮｏｄｅＢ内などの、モバイル通信ネットワークの別のインフラストラクチャ機器内で実行され得る。図７は、本技法のさらなる例の例示的な図を提供する。図７において、ｅＮｏｄｅＢ２は、送受信器ユニット２０２、スケジューラ２０４、通信プロセッサ２０６、並びに識別機能２０８及び通信インタフェース２１０を備えるように示される。通信インタフェース２１０は、サービングゲートウェイ６へのインタフェースを形成する。従って、通信インタフェース２１０は、ＬＴＥネットワークの従来の動作に従って、サービングゲートウェイ６からデータパケットを受信し、及びサービングゲートウェイ６へデータパケットを送信する。モバイル通信デバイスの例に関して、ｅＮｏｄｅＢ２は、送受信器ユニット２０２と共に動作し、及びスケジューラ２０４及び通信プロセッサ２０６をさらに備え、これらは、送受信器ユニット２０２と共に従来の手法で動作して、無線アクセスインタフェースを形成する。ただし、上述されたように、ｅＮｏｄｅＢ２は、専用メッセージングネットワーク及びブロードバンドパケットネットワークを並行して提供するように構成される。対応して、それ故に、識別機能２０８は、例えば上記に示されるものなどの所定の基準に従って、データストア２１２と共に動作して、ブロードバンドパケットネットワーク又は専用メッセージングネットワークのいずれかを用いてモバイル通信デバイスへデータパケットを通信するように構成される。それ故に、対応して、データストア２１２は、例えば、ドメイン名、ソケット若しくはポート番号、プロトコルタイプ若しくはアプリケーションタイプと、それらの基準に従って通信されるデータパケットがシグナリングデータパケットであるのか又はユーザデータパケットであるのかとの間の対応関係のストアを含む。それ故に、本技法によれば、識別機能は、専用メッセージングネットワーク及びブロードバンドパケットネットワークを介してデータパケットを通信するために、それぞれ第１の出力２１４又は第２の出力２１６のいずれかを介して通信プロセッサ２０６へデータパケットをルーティングする。
【００３４】
専用メッセージングネットワークの確立
ネットワーク内にシグナリングタイプのアプリケーションが殆ど存在しない場合、これらのモバイル通信デバイスを特にサポートするために専用メッセージングネットワークをセットアップすることは非効率的となり得る。この非効率性が生じ得る理由は、専用メッセージングネットワークについて確保される固定的なリソースがシグナリングタイプのメッセージによって充分に利用されないことがあり得るためである。より大きな量のシグナリングタイプのトラフィックが存在する場合、（このシグナリングタイプのトラフィックのサポートについて充分に適合される）ＤＭＮを有することの利点は、ＤＭＮとＢＰＮとの間でリソースを分割することの非柔軟性に関連付けられる不利益に勝り得る。この場合においては、これらのアプリケーションをＤＭＮ上でサポートすることがより好適であり得る。
【００３５】
本技法の幾つかの例によれば、モバイル通信ネットワークは、セル内でアクティブであるシグナリングタイプのアプリケーションの数の総数に基づいて、ＤＭＮ（例えば、ホストキャリア内のバーチャルキャリア）のインスタンスを作成するかを決定し得る。上記ネットワークは、当該ネットワークにおけるトラフィックの知識又は端末から当該ネットワークへシグナリングされる総数のいずれかに基づいて、シグナリングタイプのアプリケーションの数を判定することができる。
【００３６】
上記ネットワークがシグナリングタイプのアプリケーションの数を判定する際、そのようなアプリケーションの数を数えるための種々の取り得る選択肢が存在する：
・ｅＮｏｄｅＢが、パケットのタイプ：シグナリング又はデータベアリングを判定するために、パケットに対してパケット検査を実行する（ここで、ｅＮｏｄｅＢは、パケットをパースして、送信信号内のデータの性質を判定する）。
・コアネットワークが、パケット検査を実行する。この方法は、パケットが（ｅＮｏｄｅＢが扱う）より下位の層において符号化されるため、有利となり得る。これは、パケット検査をｅＮｏｄｅＢにおいて実行することを困難にする。コアネットワークは、ＤＭＮのインスタンスを作成する必要をｅＮｏｄｅＢに通知するであろう。
・マシンタイプ通信（ＭＴＣ：Machine  Type  Communication）アプリケーションサーバは、コアネットワークに、当該コアネットワークに接続される端末が生成するであろうトラフィックの性質を示す（例えば、ＭＴＣアプリケーションサーバは、上記ネットワークに、ある端末がインスタントメッセージングアプリケーション（シグナリングタイプ）からトラフィックを生成しており、別の端末が写真アップロードアプリケーション（データベアリングタイプ）からトラフィックを生成していることを示し得る）。
【００３７】
端末がシグナリングタイプのアプリケーションの数を判定する際、当該端末は、この判定を以下に基づいて行い得る：
・通信プロトコルスタックレベルにおけるパケット検査、又は、
・端末上で実行されるアプリケーションからの、当該アプリケーションが生成しているトラフィックのタイプ（シグナリングタイプ又はデータベアリングタイプ）に関する標識。
【００３８】
モバイルデバイスは、トラフィックのタイプをネットワークシグナリング（ＲＲＣシグナリング又はＮＡＳシグナリングのいずれか）を介してネットワークに示し得る。トラフィックタイプは、図８を参照しつつ以下において説明されるようにＲＲＣ接続セットアップ手続きの一部としてシグナリングされ、及び／又は、図９を参照しつつ以下において解説されるように新たなアプリケーションがアクティブになる際に更新され得る（ここで、アプリケーションからの早期の送信信号のうちの１つが、おそらくメッセージの別個の部分において、トラフィックタイプに関する情報を有し得る）。
【００３９】
図８において、ユーザに通信サービスを提供するための、モバイル通信デバイス内のアプリケーション３００は、データベアラタイプをシグナリングすることを含む無線リソース接続（ＲＲＣ）セットアップ完了メッセージを通信する。対応して、ｅＮｏｄｅＢ３０４は、ネットワーク内のシグナリングタイプのアプリケーションの数を数える。ネットワーク内のシグナリングタイプのアプリケーションの総数は、識別機能２０８内で判定され、及びデータストア２１２に記憶される閾値と比較される。シグナリングタイプのアプリケーションの総数の数がある所定の閾値を超える場合、この時点において、ｅＮｏｄｅＢには、専用メッセージングネットワークを確立する価値のある充分なトラフィックが存在するという標識が提供される。従って、専用メッセージングネットワークが確立される。
【００４０】
専用メッセージングネットワークの開始のさらなる解説は、図９において示される。図９において、専用メッセージングネットワークを確立するための代替的な構成が図示される。図９において、モバイル通信デバイス３０２は、現在、ブロードバンドパケットネットワークを用いてあらゆるタイプのデータをｅＮｏｄｅＢ３０４へ通信している。従って、ブロードバンドパケットネットワーク（ＢＰＮ）３０６は、写真、ファイルダウンロード及び他のタイプの通信を通信する。後の時点において、ブロードバンドパケットネットワーク３０６は、例えばシグナリング又はデータといったトラフィックタイプの標識を含むアプリケーションからのメッセージも通信している。ｅＮｏｄｅＢ３０４は、処理ポイント３０８において、ネットワーク内のシグナリングタイプのアプリケーションの数を数える。ネットワーク内のシグナリングタイプのアプリケーションの数が所定の数を超える場合、識別機能２０８は、処理ポイント３１０において、専用メッセージングネットワークを開始する。ｅＮｏｄｅＢ３０４は、シグナリングタイプのトラフィックが専用メッセージングネットワーク上で送信されるべきであることを、メッセージ３１２を介してモバイル通信デバイスにシグナリングする。
【００４１】
上記ネットワークは、ネットワーク内のシグナリングタイプのアプリケーションの数を数え（当該数は、当該ネットワーク内でアクティブであるモバイル通信デバイスの数とは異なっていてもよく（例えば、１つのモバイル通信デバイスが、複数のアクティブなシグナリングタイプのアプリケーション、例えば、在庫更新アプリケーション、インスタントメッセージングアプリケーション、ソーシャルネットワーキングアプリケーション等を含み得る））、及びアプリケーションの当該数を閾値と比較し得る。シグナリングタイプのアプリケーションの数が閾値よりも大きい場合、ネットワークは、ＤＭＮのインスタンスを作成し得る。
【００４２】
ネットワーク内に低いケイパビリティのＭＴＣタイプのモバイルデバイスが存在する場合、ｅＮｏｄｅＢは既にＤＭＮのインスタンスを作成済みであり得ることに留意されたい。ネットワークアルゴリズムは、以下を判定するために適用され得る：
・低いケイパビリティのＭＴＣデバイスの数とシグナリングタイプのスマートフォンアプリケーションの数との合計がホストキャリア内で第２のＤＭＮのインスタンスを作成するのに充分なほど大きいか；及び／又は、
・シグナリングタイプのスマートフォンアプリケーションをＤＭＮ上へオフロードすることが望ましいか。
【００４３】
ショートメッセージサービス（ＳＭＳ）タイプのメッセージを生成するアプリケーションは、専用メッセージングネットワークへ有利にマッピングされるべきアプリケーションとして識別され得る。そのようなアプリケーションのデータベアリングメッセージは、短い。ＳＭＳメッセージ伝送に関連付けられるネットワークシグナリングも、ＤＭＮ上で有利にサポートされ得る。
【００４４】
ｅＮｏｄｅＢ内の識別機能の動作を図示する例示的な図は、図１０において提供される。図１０におけるフロー図によって表される識別機能の動作は、以下のように要約される：
Ｓ１：モバイル通信デバイスは、当該モバイル通信デバイス上で実行されている他のソース又はアプリケーションプログラムからのデータパケットを送信するネットワークと通信する。
Ｓ２：ネットワークエンティティ内の識別機能は、データパケットを通信しているデバイスが低いケイパビリティのＭＴＣデバイス、即ちマシンタイプ通信デバイスであるかを判定する。代替的に、データパケットは、アプリケーションをシグナリングタイプ又はデータベアリングタイプのいずれかとして分類するために、（上述されたように）当該データパケットがシグナリングタイプのデータを含むかを判定するために分析され得る。データパケットを通信するデバイスがＭＴＣデバイスである場合、又はデータパケットがシグナリングタイプのアプリケーションによって通信された場合、処理は、ステップＳ４へ進む。そうでない場合、処理は、ステップＳ１へ進む。
Ｓ４：データパケットがＭＴＣモバイル通信デバイスを介して通信された場合、又はデータパケットがシグナリングタイプのアプリケーションによって通信された場合、それぞれ、シグナリングを通信するモバイル通信デバイスの総数、又はシグナリングタイプのアプリケーションの総数がインクリメントされ、それによって、これらの総数のうちの一方又は双方が増加する。
Ｓ６：シグナリングデータを通信している計数されたモバイル通信デバイスの数又は通信されているデータシグナリングパケットの数が、閾値と比較される。当該閾値は、識別機能がアクセスすることができる関連付けられたデータストアに記憶され得る。
Ｓ８：シグナリングデータを通信するモバイル通信デバイスの数が閾値を超える場合、処理は、ステップ１０へ進む。代替的に、シグナリングタイプのデータパケットの数が対応する閾値を超える場合も、処理はステップＳ１０へ進む。そうでない場合、処理はステップＳ１２へ進み、データパケットの通信の全ては、ブロードバンドパケットネットワークによってサポートされる。
Ｓ１０：閾値を超える場合、専用メッセージングネットワークは、例えば、バーチャルキャリアを用いてネットワークによって確立される。処理は、Ｓ１４において終了する。
Ｓ１２：閾値を超えない場合、全てのモバイル通信デバイスからのデータパケットの全ての通信は、ブロードバンドパケットネットワーク又は従来から動作するモバイル通信ネットワークによりサポートされる。
【００４５】
本発明の代替的な実施形態において、ＤＭＮは、ネットワーク内に少なくとも１つの低いケイパビリティのＭＴＣデバイスが存在する場合又はシグナリングタイプのアプリケーションの数が閾値を超える場合、セットアップされるであろう。図１０において示される実施形態において、低い複雑度のＭＴＣデバイスの数が閾値を超えない場合、それらのデバイスは、ＤＭＮが確立されるまで待機し、又はＤＭＮをサポートする異なるキャリアを選択することを試行し得る。
【００４６】
専用メッセージングネットワークのさらなる例
専用メッセージングネットワークの例は、ＤＭＮが展開されることができるホストキャリア内の幾らかの周波数リソースを用いるバーチャルキャリアを用いて生成されるものを含む。メッセージングトラフィックのサポート専用であるＤＭＮは、バーチャルキャリア内で又はスタンドアロンキャリアを用いて動作させられることができる。ＤＭＮの構造は、バーチャルキャリアの一部として動作しようとスタンドアロンキャリア上で動作しようと、同様とすることができる。図１１ａは、バーチャルキャリア内のＤＭＮの動作を示し、ここで、ホストキャリアにおける物理ブロードキャストチャネル（ＰＢＣＨ：Physical  Broadcast  Channel）は、バーチャルキャリアを指し示す。一方、図１１ｂは、スタンドアロンキャリア内のＤＭＮの動作を示す。これは、物理ブロードキャストチャネルＰＢＣＨがスタンドアロンキャリアを指し示し、及び周囲を囲むホストキャリアが存在しないことを除いて、バーチャルキャリアの場合とほぼ同一である。
【００４７】
ＤＭＮは、シグナリングタイプのメッセージの通信に関する、ＬＴＥの現行のリリースの欠点に対処する。専用メッセージングネットワークは、ＬＴＥ技術に基づき及び以下の点に対処し得る：
・ＤＭＮは、制御チャネルシグナリング（ＰＤＣＣＨ、ＰＵＣＣＨ、ＰＨＩＣＨ等）の効率を改善することによって、大量のシグナリングタイプのデータを通信するモバイル通信デバイスをサポートするように適合されることができる。
・小さなメッセージは、ＤＭＮ内のＰＤＳＣＨ上で効率的にサポートされる。
・ＤＭＮは、遠いセルエッジにおけるモバイルデバイスがＤＭＮネットワーク固有の技法を用いて通信することを可能にする。
・ＤＭＮは、好適には、半二重モードにおいて動作し得る。（ＴＤＤであれＦＤＤであれ）半二重モードにおける動作は、デュプレクサのセットの必要性を除去する。デュプレクサの除去は、（スイッチがデュプレクサよりも少ないロス又は低い雑音指数を有する場合）デバイスのコストを低減し及びリンクの予算を改善することができる。
・ＤＭＮは、ブロードバンドパケットネットワーク（ＢＰＮ）と比較して、別個の周波数領域において動作し得る。これは、バーチャルキャリアの場合及びスタンドアロンキャリアの場合の双方に当てはまる。バーチャルキャリアの場合において、ＤＭＮは、ホストキャリアの帯域幅内で（例えば）１．４ＭＨｚに制限される（confined）。スタンドアロンキャリアの場合、ＤＭＮは、ＢＰＮとは完全に別個の周波数のセットを占める。
・ＤＭＮは、ＢＰＮとは別個の制御領域で動作し得る。ＤＭＮが（後方互換性が理由で）ホスト制御領域及びＤＭＮ制御領域の双方をサポートする幾つかの場合がある。例えば、バーチャルキャリアが幾つかのシンボルをホスト制御領域に割り当て、及び幾つかのシンボルをバーチャルキャリア制御領域に割り当てるバーチャルキャリアの場合である。
・ＤＭＮは、ＢＰＮ上で用いられるものとは異なる割り当てフォーマット（即ち、異なるＰＤＣＣＨ構造）を用いる。割り当てメッセージが異なり得る例示的な手法は、以下の通りである：
−ＤＭＮは、同時係属中の英国特許出願第１０１６９８６．０号において開示される会話（conversation）割り当てメッセージを用いる。当該出願の内容は、参照によって本明細書に包含される。
−ＤＭＮとＢＰＮとは、異なる通信技術であるが、同じリファレンスシンボル及び同期信号を用いる。
【００４８】
他の例示的な実施形態
上述された実施形態によれば、モバイル通信デバイスは、２つのネットワークに同時に接続することができる（ここで、ＤＭＮは、典型的に、ホストＢＰＮ内のバーチャルキャリアである）。現行のネットワークにおいて、異なるトラフィックタイプは（例えば、異なるサービスの品質を有する）異なる無線ベアラで送信されることができるが、各デバイスは、ネットワークへの単一の接続のみを有する（当該デバイスは、２つの異なるタイプのネットワークに接続されない）。現行のネットワークにおいて、モバイルデバイスは、同じネットワークへの２つの接続を有することができる。例えば、当該デバイスは、専用チャネル（例えば、音声トラフィックのサポートのためのＤＣＨ）と共有チャネル（例えば、パケット交換サービスのサポートのためのＨＳＰＡチャネル）とを介してネットワークに接続されることができる。しかしながら、これら２つの接続は、同じ基礎通信技術を介している（ＷＣＤＭＡは、ＤＣＨ及びＨＳＰＡの場合における基礎通信技術である）。対照的に、本技法の実施形態は、２つの接続を有し、（ネットワークのうちの１つは、別のキャリアのスペクトル内のバーチャルキャリアであり得るが）その各々が異なるネットワークを介する。ＤＭＮは、以下の理由により、ＢＰＮとは異なるネットワークであると見なされる：
・ＤＭＮによって占有されるリソース空間は、ＢＰＮによって占有されるリソース空間とは別個である（ＤＭＮは、幾つかのＯＦＤＭ／ＳＣ−ＦＤＭＡシンボルのうちの幾つかのＯＦＤＭ／ＳＣ−ＦＤＭＡサブキャリアのみを占有する）；及び、
・（リソース割り当て、ＡＣＫ／ＮＡＣＫ及びＣＱＩシグナリングについての）ＤＭＮ制御シグナリングは、ＢＰＮの制御シグナリングとは別個である。この制御シグナリングは、ＢＰＮをデコードする必要無しにデコードされることができる；及び、
・デバイスは、ＤＭＮ上で通信することを可能とするために、ＤＭＮの帯域幅を有する送受信器のみを必要とする（これは、ＨＳＰＡチャネルをデコードするためにホストキャリア帯域幅において動作するデバイスを必要とする当該ＨＳＰＡチャネルなどの幾つかの他のチャネルとＤＭＮを区別する）。
【００４９】
図面を参照しつつ上述された本発明の実施形態には、添付の特許請求の範囲において表現される本発明の範囲から逸脱することなく、種々の変形が為され得る。ホストモバイル通信ネットワークがＬＴＥ以外の標準に従って動作するなどの他の例は、添付の特許請求の範囲内において予想される。認識されるであろうように、専用メッセージングネットワークを確立することに関与するデバイスのロケーション、又は各データパケットが通信されるべきかを判定する機能は、ネットワーク内の任意の都合の良いポイントに位置付けられ得る。
【図１】
0005969013.tif 000002
【図２】
0005969013.tif 000003
【図３】
0005969013.tif 000004
【図４】
0005969013.tif 000005
【図５】
0005969013.tif 000006
【図６】
0005969013.tif 000007
【図７】
0005969013.tif 000008
【図８】
0005969013.tif 000009
【図９】
0005969013.tif 000010
【図１０】
0005969013.tif 000011
【図１１Ａ】
0005969013.tif 000012
【図１１Ｂ】
0005969013.tif 000013
【図１２】
0005969013.tif 000014